(57)【要約】【課題】各台計数方式を採用した場合に、各遊技台の出玉状況を他の遊技客に対してアピールすること。【解決手段】基板に配列された発光素子を含んでおり、発光素子からの光を透過および／または反射させることで文字または記号を表示する表示部と、表示部に表示させる表示情報を各台計数装置から受け付ける表示情報受付部と、表示情報受付部が受け付けた表示情報に対して所定の加工を行ったうえで表示部へ表示指示する計数情報表示指示部および警告情報表示指示部と、遊技台が配列された遊技島の島端から視認可能な向きに表示部の取り付け向きを調整するための可動部を有する取付部とを備えるように表示装置を構成する。【選択図】        図３
2010063786.tif 000002
【特許請求の範囲】
【請求項１】
遊技台に対応して設けられる各台計数装置と、前記各台計数装置経由で取得した情報を表示する表示装置とで各台計数に係る情報を表示する表示システムであって、
前記表示装置は、
基板に配列された発光素子を含んでおり、前記発光素子からの光を透過および／または反射させることで文字または記号を表示する表示手段と、
前記表示手段に表示させる表示情報を前記各台計数装置から受け付ける受付手段と、
前記受付手段が受け付けた前記表示情報に対して所定の加工を行ったうえで前記表示手段へ表示指示する表示指示手段と、
前記遊技台が配列された遊技島の島端から視認可能な向きに、前記表示手段を前記遊技島へ取り付ける取付手段と
を備えたことを特徴とする表示システム。
【請求項２】
前記取付手段は、
前記島端から視認可能な向きに、前記表示手段の取り付け向きを調整するための可動部
を有することを特徴とする請求項１に記載の表示システム。
【請求項３】
前記表示装置の前記表示手段は、
前記基板の両面に前記発光素子を配列しており、片面に配列された各発光素子は、他面における対応する位置に設けられた前記発光素子と同時に発光するように前記基板の回路で接続されていることを特徴とする請求項１または２に記載の表示システム。
【請求項４】
前記表示装置は、
前記受付手段が受け付けた前記表示情報を前記表示手段に表示する際の表示単位を含んだ設定情報を記憶部へ記憶させる設定手段をさらに備え、
前記表示指示手段は、
前記受付手段が受け付けた前記表示情報を前記設定情報の前記表示単位へ変換したうえで、前記表示手段へ表示指示することを特徴とする請求項１、２または３に記載の表示システム。
【請求項５】
前記各台計数装置は、
接続された前記遊技台についての計数結果が変更されるたびに変更後の計数結果を前記表示装置へ通知するものであって、
前記表示装置の前記表示指示手段は、
前記設定情報に前記計数結果の累積表示を行う旨の設定がなされている場合には、前記計数結果に基づいて前記遊技台に係る累積計数値を算出したうえで、前記表示手段へ表示指示することを特徴とする請求項４に記載の表示システム。
【請求項６】
前記各台計数装置は、
前記遊技台が発した特賞信号を受信してから所定時間経過しても計数値の変更がない場合に、遊技媒体の受け皿があふれるおそれがある旨の警告を示すあふれ警告を前記表示装置へ送信するあふれ警告送信手段
を備え、
前記表示装置の前記表示指示手段は、
前記受付手段が前記あふれ警告を受け付けた場合に、前記表示手段に設けられた警告エリアを所定の色および／または点滅間隔で発光させるように前記表示手段へ表示指示することを特徴とする請求項１〜５のいずれか一つに記載の表示システム。
【請求項７】
前記各台計数装置は、
前記遊技台が発したセーフ信号に基づく持ち玉数と計数値との差分が所定値を上回った場合に、不正のおそれがある旨の警告を示す不正警告を前記表示装置へ送信する不正警告送信手段
を備え、
前記表示装置の前記表示指示手段は、
前記受付手段が前記不正警告を受け付けた場合に、前記表示手段に設けられた警告エリアを所定の色および／または点滅間隔で発光させるように前記表示手段へ表示指示することを特徴とする請求項１〜６のいずれか一つに記載の表示システム。
【請求項８】
遊技台に対応して設けられる各台計数装置で取得した情報を表示する表示装置であって、
基板に配列された発光素子を含んでおり、前記発光素子からの光を透過および／または反射させることで文字または記号を表示する表示手段と、
前記表示手段に表示させる表示情報を前記各台計数装置から受け付ける受付手段と、
前記受付手段が受け付けた前記表示情報に対して所定の加工を行ったうえで前記表示手段へ表示指示する表示指示手段と、
前記遊技台が配列された遊技島の島端から視認可能な向きに、前記表示手段を前記遊技島へ取り付ける取付手段と
を備えたことを特徴とする表示装置。
【請求項９】
前記取付手段は、
前記島端から視認可能な向きに、前記表示手段の取り付け向きを調整するための可動部
を有することを特徴とする請求項８に記載の表示装置。
【発明の詳細な説明】
【技術分野】
【０００１】
この発明は、遊技台に対応して設けられる各台計数装置と、各台計数装置経由で取得した情報を表示する表示装置とで各台計数に係る情報を表示する表示システムおよび表示装置に関し、特に、各台計数方式を採用した場合に、各遊技台の出玉状況を他の遊技客に対してアピールすることができる表示システムおよび表示装置に関するものである。
【背景技術】
【０００２】
従来から、パチンコ店などの遊技店に設置されるパチンコ機やパチスロ機といった遊技機と並設され、パチンコ玉やメダルといった遊技媒体を貸し出す貸出処理機（以下、「台間装置」と記載する）が知られている。また、遊技機において遊技客が獲得した遊技媒体の数量を各台間装置と接続された各台計数装置が計数する、いわゆる各台計数方式も知られてきた。
【０００３】
かかる各台計数方式を採用すると、従来行われていた玉箱（遊技客が獲得したパチンコ玉やパチスロのコインを入れる箱）の移動作業を行う必要がないので、遊技店の従業員にとっても、遊技客にとっても便利であるといえる。また、遊技店にとってみれば、玉箱に保持された状態で遊技店側に環流されない遊技媒体をなくすことができるので、少ない遊技媒体で営業を行うことができるというメリットもある。
【０００４】
また、各台計数方式を採用した場合、遊技客は、従来のように、自身が獲得した遊技媒体の数を玉箱の個数を視認して確認することができないので、各台計数装置に接続された表示装置で遊技客が獲得した遊技媒体数を表示することも行われている（たとえば、特許文献１参照）。
【０００５】
【特許文献１】特開２００６−１７５０６１号公報
【発明の開示】
【発明が解決しようとする課題】
【０００６】
しかしながら、特許文献１に開示された技術を用いた場合、遊技客に対して自身が獲得した遊技媒体数を示すことはできるものの、他の遊技客に対して遊技店における出玉をアピールすることができないという問題があった。
【０００７】
具体的には、各台計計数方式を採用する以前では、遊技客が獲得した遊技媒体は、玉箱に入れられて積み上げられており、他の遊技客は、積み上げられた玉箱の個数で遊技島における出玉状況を把握することが可能であった。
【０００８】
たとえば、あらたに来店した遊技客が、遊技店の出玉状況を確認する場合、各台計計数方式を導入する以前では、遊技島を島端の通路から覗くだけで、遊技島ごとの出玉状況を確認することができた。
【０００９】
これに対し、各台計数方式を採用すると、当然ながら玉箱が積み上げられることはないので、他の遊技客が出玉状況を確認するには、各遊技台に対応する表示装置の表示内容をわざわざ見る必要がある。このため、遊技店側としては、遊技台の出玉を良好に調整したイベントを行っていても、遊技客に対して遊技店の出玉を十分にアピールすることができなかった。
【００１０】
これらのことから、各台計数方式を採用した場合において、各遊技台の出玉状況を他の遊技客に対していかにしてアピールするかが大きな課題となっている。
【００１１】
この発明は、上述した従来技術による問題点を解消するためになされたものであって、各台計数方式を採用した場合に、各遊技台の出玉状況を他の遊技客に対してアピールすることができる表示システムおよび表示装置を提供することを目的とする。
【課題を解決するための手段】
【００１２】
上述した課題を解決し、目的を達成するため、本発明は、遊技台に対応して設けられる各台計数装置と、前記各台計数装置経由で取得した情報を表示する表示装置とで各台計数に係る情報を表示する表示システムであって、前記表示装置は、基板に配列された発光素子を含んでおり、前記発光素子からの光を透過および／または反射させることで文字または記号を表示する表示手段と、前記表示手段に表示させる表示情報を前記各台計数装置から受け付ける受付手段と、前記受付手段が受け付けた前記表示情報に対して所定の加工を行ったうえで前記表示手段へ表示指示する表示指示手段と、前記遊技台が配列された遊技島の島端から視認可能な向きに、前記表示手段を前記遊技島へ取り付ける取付手段とを備えたことを特徴とする。
【００１３】
また、本発明は、上記の発明において、前記取付手段は、前記島端から視認可能な向きに、前記表示手段の取り付け向きを調整するための可動部を有することを特徴とする。
【００１４】
また、本発明は、上記の発明において、前記表示装置の前記表示手段は、前記基板の両面に前記発光素子を配列しており、片面に配列された各発光素子は、他面における対応する位置に設けられた前記発光素子と同時に発光するように前記基板の回路で接続されていることを特徴とする。
【００１５】
また、本発明は、上記の発明において、前記表示装置は、前記受付手段が受け付けた前記表示情報を前記表示手段に表示する際の表示単位を含んだ設定情報を記憶部へ記憶させる設定手段をさらに備え、前記表示指示手段は、前記受付手段が受け付けた前記表示情報を前記設定情報の前記表示単位へ変換したうえで、前記表示手段へ表示指示することを特徴とする。
【００１６】
また、本発明は、上記の発明において、前記各台計数装置は、接続された前記遊技台についての計数結果が変更されるたびに変更後の計数結果を前記表示装置へ通知するものであって、前記表示装置の前記表示指示手段は、前記設定情報に前記計数結果の累積表示を行う旨の設定がなされている場合には、前記計数結果に基づいて前記遊技台に係る累積計数値を算出したうえで、前記表示手段へ表示指示することを特徴とする。
【００１７】
また、本発明は、上記の発明において、前記各台計数装置は、前記遊技台が発した特賞信号を受信してから所定時間経過しても計数値の変更がない場合に、遊技媒体の受け皿があふれるおそれがある旨の警告を示すあふれ警告を前記表示装置へ送信するあふれ警告送信手段を備え、前記表示装置の前記表示指示手段は、前記受付手段が前記あふれ警告を受け付けた場合に、前記表示手段に設けられた警告エリアを所定の色および／または点滅間隔で発光させるように前記表示手段へ表示指示することを特徴とする。
【００１８】
また、本発明は、上記の発明において、前記各台計数装置は、前記遊技台が発したセーフ信号に基づく持ち玉数と計数値との差分が所定値を上回った場合に、不正のおそれがある旨の警告を示す不正警告を前記表示装置へ送信する不正警告送信手段を備え、前記表示装置の前記表示指示手段は、前記受付手段が前記不正警告を受け付けた場合に、前記表示手段に設けられた警告エリアを所定の色および／または点滅間隔で発光させるように前記表示手段へ表示指示することを特徴とする。
【００１９】
また、本発明は、遊技台に対応して設けられる各台計数装置で取得した情報を表示する表示装置であって、基板に配列された発光素子を含んでおり、前記発光素子からの光を透過および／または反射させることで文字または記号を表示する表示手段と、前記表示手段に表示させる表示情報を前記各台計数装置から受け付ける受付手段と、前記受付手段が受け付けた前記表示情報に対して所定の加工を行ったうえで前記表示手段へ表示指示する表示指示手段と、前記遊技台が配列された遊技島の島端から視認可能な向きに、前記表示手段を前記遊技島へ取り付ける取付手段とを備えたことを特徴とする。
【００２０】
また、本発明は、上記の発明において、前記取付手段は、前記島端から視認可能な向きに、前記表示手段の取り付け向きを調整するための可動部を有することを特徴とする。
【発明の効果】
【００２１】
本発明によれば、表示装置は、基板に配列された発光素子を含んでおり、発光素子からの光を透過および／または反射させることで文字または記号を表示する表示手段と、表示手段に表示させる表示情報を各台計数装置から受け付ける受付手段と、受付手段が受け付けた表示情報に対して所定の加工を行ったうえで表示手段へ表示指示する表示指示手段と、遊技台が配列された遊技島の島端から視認可能な向きに、前記表示手段を前記遊技島へ取り付ける取付手段とを備えることとしたので、各遊技台の出玉状況を他の遊技客に対してアピールすることができるという効果を奏する。
【００２２】
また、本発明によれば、取付手段は、島端から視認可能な向きに、表示手段の取り付け向きを調整するための可動部を有することとしたので、表示手段の表示向きを柔軟に変更することができるという効果を奏する。
【００２３】
また、本発明によれば、表示手段は、基板の両面に発光素子を配列しており、片面に配列された各発光素子は、他面における対応する位置に設けられた発光素子と同時に発光するように基板の回路で接続されていることとしたので、表示装置を両面表示としつつ装置サイズを薄型化することができるという効果を奏する。
【００２４】
また、本発明によれば、表示装置は、受付手段が受け付けた表示情報を表示手段に表示する際の表示単位を含んだ設定情報を記憶部へ記憶させ、表示指示手段は、受付手段が受け付けた表示情報を設定情報の表示単位へ変換したうえで、表示手段へ表示指示することとしたので、表示単位の変更を容易に行うことができるという効果を奏する。これによって、たとえば、所定の遊技島においては箱数表示、他の遊技島においては玉数表示といった運用が可能となる。
【００２５】
また、本発明によれば、各台計数装置は、接続された遊技台についての計数結果が変更されるたびに変更後の計数結果を表示装置へ通知し、表示装置の表示指示手段は、設定情報に計数結果の累積表示を行う旨の設定がなされている場合には、計数結果に基づいて遊技台に係る累積計数値を算出したうえで、表示手段へ表示指示することとしたので、遊技台における計数表示について、遊技客ごとの計数値とすることに加えて遊技台についてのトータルの計数値とすることもできるという効果を奏する。
【００２６】
また、本発明によれば、各台計数装置は、遊技台が発した特賞信号を受信してから所定時間経過しても計数値の変更がない場合に、遊技媒体の受け皿があふれるおそれがある旨の警告を示すあふれ警告を表示装置へ送信し、表示装置の表示指示手段は、受付手段があふれ警告を受け付けた場合に、表示手段に設けられた警告エリアを所定の色および／または点滅間隔で発光させるように表示手段へ表示指示することとしたので、あふれ警告の要因となる状況が発生した旨を遊技店の従業員へ報知することができるという効果を奏する。
【００２７】
また、本発明によれば、各台計数装置は、遊技台が発したセーフ信号に基づく持ち玉数と計数値との差分が所定値を上回った場合に、不正のおそれがある旨の警告を示す不正警告を表示装置へ送信し、表示装置の表示指示手段は、受付手段が不正警告を受け付けた場合に、表示手段に設けられた警告エリアを所定の色および／または点滅間隔で発光させるように表示手段へ表示指示することとしたので、不正警告の要因となる状況が発生した旨を遊技店の従業員へ報知することができるという効果を奏する。
【発明を実施するための最良の形態】
【００２８】
以下に添付図面を参照して、本発明に係る表示手法の好適な実施例を詳細に説明する。なお、以下では、本発明に係る表示手法の概要について図１を用いて説明した後に、本発明に係る表示手法を適用した表示システムについての実施例を図２〜図８を用いて説明することとする。
【００２９】
図１は、本発明に係る表示手法の概要を示す図である。なお、同図には、遊技台２００を配列した遊技島１００を示しており、遊技台２００ごとに、図示しない各台計数装置経由で表示装置１０が設けられているものとする。
【００３０】
同図に示すように、遊技島１００における各遊技台２００の上方には、表示装置１０が、遊技島１００で挟まれた通路にせり出すように設置されている。たとえば、同図に示すように、各表示装置１０には、対応する各遊技台２００で遊技客が獲得した玉箱数が表示される。なお、同図には、玉箱数を表示する場合について示しているが、表示装置１０には、遊技客が獲得した遊技媒体数（玉数）を表示することもできる。
【００３１】
ここで、表示装置１０は、計数値表示エリア１０ａと警告表示エリア１０ｂとを有しており、玉箱数または遊技媒体数を計数値表示エリア１０ａへ表示するとともに、各種警告情報を警告表示エリア１０ｂへ表示する。同図に示すように、警告表示エリア１０ｂを、表示装置１０の取り付け側とは反対側に設けることで、警告表示の視認性を高めることができる。
【００３２】
また、表示装置１０は、任意の方向へ回動させることができる可動部１０ｃを有しており、遊技島１００に対する取付位置の自由度を高めることができる他、遊技島１００の形状に応じて表示部の角度を変えたり、出玉がない表示装置１０を格納したり、といった運用も可能である。
【００３３】
また、表示装置１０は、同図に示したように、表面および裏面に、同一の情報を表示するように構成されている。たとえば、表面に「５箱」と表示された表示装置１０は、裏面にも「５箱」と表示する。
【００３４】
このように、本発明に係る表示手法では、遊技台２００ごとに遊技媒体の計数を行う各台計数方式において、各遊技台２００で遊技客が獲得した遊技媒体数あるいは玉箱数を、各遊技島１００における見通しがよい位置（たとえば、遊技台２００の上方）に設けられた表示装置１０へ表示することとした。また、表示装置１０には、遊技媒体数や玉箱数といった計数値のみならず、各台計数に係る各種警告情報も表示することとした。
【００３５】
このようにすることで、遊技島１００の端から遊技島１００間の通路を覗き込んだ遊技客は、各遊技島１００に設置された各遊技台２００の出玉情報を、一望するだけで確認することができる。また、遊技島１００間の通路を覗き込む遊技客のみならず、他の遊技台２００で遊技する他の遊技客についても同様のことがいえる。
【００３６】
したがって、本発明に係る表示手法によれば、特定の遊技台２００における出玉状況を他の遊技客に対しても効果的に周知させることができるので、遊技客の利便性を向上させることが可能となる。また、遊技店側にとってみれば、自店の出玉状況を遊技客へアピールすることが可能となる。
【００３７】
また、本発明に係る表示手法で用いる表示装置１０には、計数値のみならず各種警告情報をも表示させることとしたので、各装置の障害をあらわす情報、ゴト行為などの不正情報といった警告情報を遊技店の従業員に対して視認しやすい形で報知することができる。
【００３８】
以下では、本発明に係る表示手法を適用した表示システムについての実施例を詳細に説明する。なお、以下に示す実施例では、本発明に係る表示システムをいわゆるパチンコ機に対して適用した場合について示すが、いわゆるパチスロ機に対して本表示システムを適用することとしてもよい。
【実施例】
【００３９】
まず、本実施例に係る表示システム１のシステム構成について図２を用いて説明する。図２は、本実施例に係る表示システム１のシステム構成図である。同図に示すように、遊技台２００には、遊技台２００へ投入する遊技媒体（パチンコ玉）の貸し出し等を行う台間装置３００が接続されており、台間装置３００には、遊技台２００で遊技客が獲得した玉数を計数する各台計数装置２０が接続されている。
【００４０】
また、各台計数装置２０には、図１に示した表示装置１０が接続される。また、台間装置３００は、島コントローラ４００経由で、上位装置である管理装置５００に接続されている。ここで、島コントローラ４００は、たとえば、遊技島１００ごとに設けられる中継装置である。
【００４１】
また、管理装置５００は、すべての島コントローラ４００を束ねるコンピュータであり、台間装置３００、各台計数装置２０をはじめとする配下装置からの情報を収集して蓄積したり、各配下装置に対して開店指示、閉店指示といった指示や、各種設定値などを送信したりする処理を行う。
【００４２】
なお、遊技台２００は、島コントローラ４００経由でホールコンピュータ６００へ接続されており、ホールコンピュータ６００では、遊技台２００へ投入された玉数、各遊技台２００が放出した玉数といった情報を遊技台２００ごとに管理している。
【００４３】
なお、本実施例では、台間装置３００と、各台計数装置２０とが独立した装置である場合について示しているが、計数機能を備えた各台対応装置を用いることとしてもよい。また、図２では、表示装置１０が、各台計数装置２０にのみ接続されており、各台計数装置２０経由で取得した情報を表示する場合について示しているが、表示装置１０を、台間装置３００、管理装置５００、ホールコンピュータ６００といった他の装置と接続し、接続された装置から取得した情報を表示することとしてもよい。
【００４４】
なお、以下では、図２に示した表示装置１０および各台計数装置２０についてさらに詳細に説明することとする。図３は、表示システム１に含まれる表示装置１０および各台計数装置２０の構成を示すブロック図である。
【００４５】
同図に示すように、表示装置１０は、通信Ｉ／Ｆ（インターフェース）１１と、表示部１２と、制御部１３と、記憶部１４とを備えている。また、制御部１３は、設定部１３ａと、表示情報受付部１３ｂと、計数情報表示指示部１３ｃと、警告情報表示指示部１３ｄとをさらに備えており、記憶部１４は、設定情報１４ａを記憶する。なお、表示装置１０は、各台計数装置２０経由で表示情報を受信するものとする。
【００４６】
また、各台計数装置２０は、通信Ｉ／Ｆ（インターフェース）２１と、制御部２２と、計数部２３とを備えており、制御部２２は、計数情報送信部２２ａと、遊技台信号受信部２２ｂと、警告判定部２２ｃと、警告情報送信部２２ｄとをさらに備えている。なお、各台計数装置２０は、台間装置３００経由で遊技台２００が発した信号を受信するものとする。
【００４７】
ここで、表示装置１０の具体的な構成例について、図４〜図６を用いて説明しておく。図４は、表示装置１０を構成する各部品を示す図である。なお、表示装置１０は、表示部の両面（表面および裏面）に情報を表示するので、図４には、表面の表示に係る各部品と、裏面の表示に係る各部品とを示している。
【００４８】
図４に示したように、基板４１には、発光制御用の回路が設けられる他、ＬＥＤ（Light  Emitting  Diode）４１ａが、表示対象となる文字や記号のパターンに従って配列されている。ここで、基板４１の両面に配列されるＬＥＤ４１ａは、表面と裏面で同一内容を表示することができるように、基板４１上の回路で接続されている。なお、同図に示す４４４ａは、図１に示した警告表示エリア１０ｂに対応する。
【００４９】
たとえば、計数値表示エリア１０ａ（図１参照）における表面に玉数を「１０００００玉」と表示する場合には、各文字に対応する位置に設けられたＬＥＤ４１ａを発光させる。また、裏面の対応する位置に設けられたＬＥＤ４１ａも同時に発光させることで、裏面にも「１０００００玉」と表示される。
【００５０】
また、警告表示エリア１０ｂ（図１参照）における表面を、たとえば、「赤色の点滅」とする場合には、警告表示エリア１０ｂの位置に対応した赤色のＬＥＤ４１ａを発光させる。一方、裏面の対応する位置に設けられた赤色のＬＥＤ４１ａも同時に発光させることで、裏面についても「赤色の点滅」とする。
【００５１】
また、基板４１には、同図に示したように、外部装置と接続するためのコネクタ４１ｂも設けられる。なお、本実施例では、基板４１の両面に、それぞれ発光ダイオードを配列する場合について示したが、基板４１の両面に液晶画面を設けることとし、表示対象となる文字や記号のパターンに合致する位置を所定の色や点滅間隔で表示制御することとしてもよい。
【００５２】
リフレクトケース（表）４２には、基板４１に配列されたＬＥＤ４１ａからの光を透過したり反射したりする壁が設けられており、これによって所定の文字や数字を形作る。なお、同図に示す４２ａおよび４２ｂは、パネル４３に形成された文字を浮かび上がらせるための区画である。
【００５３】
パネル（表）４３は、透明素材で構成され、リフレクトケース（表）４２からきた光を受け、同図に示す「箱」、「玉」という文字を浮かび上がらせる。たとえば、「箱」という文字を浮かび上がらせる場合には、リフレクトケース（表）４２に示した４２ａに対応する位置のＬＥＤ４１ａが発光することになる。この場合、リフレクトケース（表）４２に示した４２ｂに対応する位置のＬＥＤ４１ａは発光しないように制御される。
【００５４】
本体ケース（表）４４は、基板４１、リフレクトケース（表）４２およびパネル（表）４３を覆う外装部品であり、警告表示エリア１０ｂ（図１参照）の位置に対応したＬＥＤ４１ａの光を透過する。なお、パネル（表）４３をはめ込む位置は、空洞となっている。
【００５５】
また、リフレクトケース（裏）４５は、裏側からみた基板４１におけるＬＥＤ４１ａの配列にあわせ、警告表示エリア１０ｂ（図１参照）についてはリフレクトケース（表）４２と左右を反転させ、計数値表示エリア１０ａ（図１参照）についてはリフレクトケース（表）４２と同様に、それぞれ上記した壁等の加工が施される。
【００５６】
また、パネル（裏）４６については、パネル（表）４３と同様であり、本体ケース（裏）４７については、本体ケース（表）４３と左右を反転させて構成される。
【００５７】
図５は、表示装置１０の完成図である。同図に示すように、図４に示した各部品を組み立てることで、表示装置１０が完成する。具体的には、同図に示したように、表面からみて、パネル（表）４３、本体ケース（表）４４、リフレクトケース（表）４２、基板４１、リフレクトケース（裏）４５、本体ケース（裏）４７、パネル（裏）４６を、これらの順序で組み立てると、表面からみると５１、裏面からみると５２となる表示装置１０が完成する。
【００５８】
なお、図４および図５では、表示装置１０の表示部に、０〜９の数字、箱、玉といった文字を表示する場合について示したが、所定のマークなどの記号を表示することとしてもよい。たとえば、玉箱を形取った玉箱マークを形成し、遊技客が獲得した玉箱の数に応じて点灯する玉箱マークの個数を変更することとしてもよい。
【００５９】
また、遊技客が獲得した玉数を棒グラフ状にあらわし、１０００玉以上、５０００玉以上、１００００玉以上といった各区分に応じて表示色を変更したり、大量出玉を示す文字や記号とともに表示したりすることとしてもよい。
【００６０】
図６は、表示装置１０の取付例を示す図である。図１に示したように、表示装置１０は、可動部１０ｃを有しており、表示部を任意の方向に固定することができる。これにより、同図の（Ａ−１）に示したように、表示装置１０を遊技島１００の側面に取り付けることもできるし、表示装置１０を遊技島１００の上面に取り付けることもできる。したがって、各遊技店でそれぞれ異なる設置スペースの制約に対しても柔軟に対応することができる。
【００６１】
また、同図の（Ｂ−１）には、表示装置１０を上方から見た図を示している。同図の（Ｂ−１）に示したように、可動部１０ｃは、（Ａ−１）および（Ａ−２）のように垂直方向のみならず、水平方向にも回転することができる。したがって、たとえば、同図の６１に示したように、遊技島１００の遊技台２００が設けられた面と所定の角度をなす位置で固定したり、遊技台２００が設けられた面と平行となる位置で固定して格納したりすることができる。
【００６２】
これにより、遊技島１００の遊技台２００が設けられた面が、上方からみて曲面となっている場合や、遊技台２００が遊技店の壁に沿って設置されている場合であっても、表示装置１０の表示部を、他の遊技客から見やすい方向に調整することができる。
【００６３】
図３の説明に戻り、表示装置１０の各構成要素について説明する。通信Ｉ／Ｆ１１は、外部装置との通信を行う通信デバイスであり、同図に示した場合では、各台計数装置２０から受信した情報を制御部１３へ渡す処理を行う。
【００６４】
なお、本実施例では、表示装置１０が各台計数装置２０にのみ接続されている場合について説明するが、各台計数装置２０以外の装置、たとえば、管理装置５００やホールコンピュータ６００といった上位装置と接続し、これらの上位装置と通信Ｉ／Ｆ１１経由で通信することとしてもよい。
【００６５】
表示部１２は、図４や図５に示したように、両面に表示情報を表示できる表示デバイスである。なお、本実施例では、ＬＥＤ４１ａを発光させることで文字や記号を表示する場合について示すが、表示部１２を、両面に液晶パネルを有する表示デバイスとして構成することとしてもよい。
【００６６】
制御部１３は、外部装置から受け取った設定情報１４ａを記憶部１４へ格納するとともに、各台計数装置２０から計数情報または警告情報を受け取った場合に、各情報を表示部１２の所定のエリアへ表示する処理を行う処理部である。
【００６７】
設定部１３ａは、表示装置１０の設定に係る情報である設定情報１４ａを、各台計数装置２０経由で受け取り、記憶部１４へ記憶させる処理を行う処理部である。なお、設定情報１４ａは、たとえば、管理装置５００が管理しており、表示装置１０の新規導入時や、表示装置１０の設定変更時に、各台計数装置２０経由で表示装置１０へ送信されるものとする。
【００６８】
ここで、設定情報１４ａの内容としては、表示装置１０が、計数値を玉数表示とするか、箱数表示とするかの表示単位、１箱あたりの遊技媒体数、計数値の大小に応じた発光演出のパターン、各台計数装置２０から警告情報を受け取った場合における、警告種別に応じた表示色、点滅間隔などがある。
【００６９】
たとえば、各台計数装置２０から計数値が随時通知される場合、設定情報１４ａに、１箱が１５００玉であり、箱数表示をする旨が定義されているとする。この場合、後述する計数情報表示指示部１３ｃは、設定情報１４ａの定義に基づき、計数値が１５００玉を超えるごとに箱数をカウントアップし、カウントアップした箱数を表示するように表示部１２へ指示することになる。
【００７０】
表示情報受付部１３ｂは、各台計数装置２０からの計数情報または警告情報を通信Ｉ／Ｆ１１で受け取り、受け取った情報が計数情報である場合には、計数情報表示指示部１３ｃへ、受け取った情報が警告情報である場合には、警告情報表示指示部１３ｄへ、それぞれ振り分ける処理を行う処理部である。
【００７１】
計数情報表示指示部１３ｃは、表示情報受付部１３ｂから受け取った計数情報を、記憶部１４の設定情報１４ａに基づいて加工したうえで、加工後の情報を表示するように表示部１２に対して指示する処理を行う処理部である。
【００７２】
たとえば、計数情報表示指示部１３ｃは、設定情報１４ａにおける定義に従い、箱数表示の場合に各台計数装置２０から受け取った計数値を箱数へ変換したり、計数値に応じた演出パターン（点滅や発光色連続切替など）を決定したりしたうえで、表示部１２へ表示内容の指示を行う。
【００７３】
警告情報表示指示部１３ｄは、表示情報受付部１３ｂから受け取った警告情報を、記憶部１４の設定情報１４ａに基づいて加工したうえで、加工後の情報を表示するように表示部１２に対して指示する処理を行う処理部である。
【００７４】
たとえば、警告情報表示指示部１３ｄは、各台計数装置２０から受け取った警告情報の種別に応じて設定情報１４ａに定義された警告表示エリア１０ｂ（図１参照）における発光色や点滅パターンを用いて表示内容を決定し、表示部１２へ表示内容の指示を行う。
【００７５】
記憶部１４は、不揮発性メモリなどの記憶デバイスで構成される記憶部であり、設定情報１４ａを記憶する。設定情報１４ａは、計数値設定および警告設定を含んだ情報であり、表示装置１０の導入時や表示装置１０の設定変更時に更新される。
【００７６】
ここで、計数値設定としては、計数値の表示方式（玉数または箱数）、１箱あたりの玉数（たとえば、１５００玉）、計数値に応じた演出パターン（たとえば、点滅や発光色連続切替）などがある。また、警告設定としては、警告種別ごとの発光色や点滅などがある。
【００７７】
次に、各台計数装置２０の各構成要素について説明する。通信Ｉ／Ｆ（インターフェース）２１は、外部装置との通信を行う通信デバイスであり、同図に示した場合では、台間装置３００から受信した情報を制御部２２へ渡す処理を行うとともに、制御部２２からの計数情報および警告情報を表示装置１０へ送信する処理を行う。
【００７８】
計数情報送信部２２ａは、計数部２３によって計数された計数値を通信Ｉ／Ｆ２１経由で表示装置１０へ送信する処理を行う処理部である。
【００７９】
ここで、計数情報送信部２２ａは、計数部２３の計数動作に連動して最新の計数値を随時受け取るととともに、受け取った最新の計数値を表示装置１０へ送信する。また、台間装置３００で持ち玉カード返却などの操作が行われた場合には、持ち玉カードが返却された旨を表示装置１０へ送信する。
【００８０】
なお、対応する遊技台２００における累積計数値を表示装置１０へ表示させる場合、厳密には、台間装置３００に対する持ち玉の払い出し操作（計数された持ち玉で遊技する場合の払い出し操作）で減算された計数値を考慮する必要がある。
【００８１】
たとえば、遊技客Ａが４０００玉を獲得し、持ち玉から１０００玉を使って遊技したうえで遊技終了し、次の遊技客Ｂが１０００玉を獲得してすぐに遊技終了した場合、遊技台２００におけるトータルの出玉は、５０００玉となる。
【００８２】
この場合、各台計数装置２０は、遊技客Ａについての計数値を表示装置１０へ随時送信しつつ（表示装置１０の表示は４０００玉まで増加）、払い出し操作による減算後の計数値についても随時送信することになる（表示装置１０の表示は３０００玉まで減少）。そして、遊技終了で持ち玉カードの返却が行われた場合には、その旨を表示装置１０へ通知する。
【００８３】
表示装置１０で設定情報１４ａにおいて累積表示の設定がされている場合、持ち玉カードの返却が行われた旨の通知を受けると、表示を０玉へ変更することなく、表示を３０００玉のままとする。
【００８４】
つづいて、次の遊技客Ｂについての計数値が増加した場合には、遊技客Ａの３０００玉に加算して表示する。そして、遊技客Ｂについての計数値が１０００玉となった場合には、表示を４０００玉とし、遊技客Ｂが遊技終了して持ち玉カードが行われた旨の通知を受けても表示を４０００玉のままとする。
【００８５】
遊技台信号受信部２２ｂは、遊技台２００からの信号を台間装置３００および通信Ｉ／Ｆ２１経由で受け取り、受け取った信号を警告判定部２２ｃへ通知する処理を行う処理部である。ここで、遊技台２００からの信号としては、遊技台２００が特賞（大当たり）に入ったことを示す特賞信号や、遊技台２００が遊技客へ遊技媒体（パチンコ玉）を放出したことを示すセーフ信号などがある。
【００８６】
警告判定部２２ｃは、遊技台信号受信部２２ｂから受け取った各種信号と、計数部２３からの計数値とを対比することで、警告情報を表示装置１０へ表示させるべきか否かの判定および警告種別の判定を行う処理部である。また、警告情報送信部２２ｄは、警告判定部２２が判定した警告種別を警告情報として通信Ｉ／Ｆ２１経由で表示装置１０へ送信する処理を行う処理部である。
【００８７】
ここで、警告判定部２２ｃおよび警告情報送信部２２ｄが行う警告処理の手順について図７を用いて説明しておく。図７は、警告処理の手順を示す図である。なお、同図の（Ａ）には、遊技台２００の下皿に保持される遊技媒体があふれるおそれがある旨の「あふれ警告」について、同図の（Ｂ）には、遊技台２００において不正行為のおそれがある旨の「不正警告」について、それぞれ示している。
【００８８】
図７の（Ａ）に示したように、遊技台２００は、遊技台が特賞状態に入ると特賞信号を台間装置３００へ送信する。また、台間装置３００は、遊技台２００から受信した特賞信号を各台計数装置２０へ転送する。ここで、台間装置２０の警告判定部２２ｃは、特賞信号を受信したならば計時を開始し、特賞信号の受信時から所定時間以内に計数部２３から計数値を受け取ったか否かを判定する。
【００８９】
そして、特賞信号を受信して所定時間経過しても計数がない（計数部２３から計数値を受け取らない）場合には（同図の（Ａ−１）参照）、「あふれ警告」を行うべきであると判定する。つづいて、警告情報送信部２２ｄは、あふれ警告を表示装置１０へ向けて送信する（同図の（Ａ−２）参照）。
【００９０】
なお、特賞信号を受信して所定時間経過しても計数がない状況が発生する原因としては、計数部２３の玉詰まりや故障、遊技客の操作ミスなどが考えられる。このように、あふれ警告を表示装置１０へ表示させることで、かかる警告内容を遊技店の従業員へ報知することができる。なお、表示装置１０側では、警告の表示開始時からの経過時間で、表示内容（色や点滅間隔など）を変更することとしてもよい。
【００９１】
また、図７の（Ｂ）に示したように、遊技台２００は、遊技媒体（パチンコ玉）を払い出すとセーフ信号を台間装置３００へ送信する。また、台間装置３００は、遊技台２００から受信したセーフ信号を各台計数装置２０へ転送する。ここで、台間装置２０の警告判定部２２ｃは、セーフ信号を受信したならばセーフ信号に基づく持ち玉数と、計数部２３からの計数値とを対比する。
【００９２】
そして、セーフ信号に基づく持ち玉数と、計数部２３からの計数値との差分が所定の基準値を超過した場合には（同図の（Ｂ−１）参照）、「不正警告」を行うべきであると判定する。つづいて、警報情報送信部２２ｄは、不正警告を表示装置１０へ向けて送信する（同図の（Ｂ−２）参照）。
【００９３】
なお、セーフ信号に基づく持ち玉数と計数部２３による計数結果との差分が所定値を超過する状況が発生する主な原因としては、ゴト行為などの不正行為が考えられる。このように、不正警告を表示装置１０へ表示させることで、かかる警告内容を遊技店の従業員へ報知することができる。なお、表示装置１０側では、警告の表示開始時からの経過時間で、表示内容（色や点滅間隔など）を変更することとしてもよい。
【００９４】
また、図７では、各台計数装置２０で、あふれ警告および不正警告の判定を行う場合について示したが、かかる判定処理を表示装置１０側で行わせることとしてもよい。この場合、表示装置１０には、各台計数装置２０経由で、特賞信号およびセーフ信号が通知されることになる。また、表示装置１０の設定情報１４ａには、あふれ警告判定時に用いる所定時間や、不正警告判定に用いる所定値を設定することになる。
【００９５】
図３の説明に戻り、計数部２３について説明する。計数部２３は、遊技台２００が放出した遊技媒体を計数する処理を行うデバイスである。この計数部２３は、遊技媒体の計数結果を示す計数値を、計数情報送信部２２ａおよび警告判定部２２ｃへ通知する処理を併せて行う。
【００９６】
次に、図３に示した表示装置１０が実行する処理手順について図８を用いて説明する。図８は、表示装置１０が実行する処理手順を示すフローチャートである。なお、図８に示した処理手順が実行される以前に、表示装置１０の記憶部１４には設定情報１４ａが外部装置経由で設定されているものとする。
【００９７】
同図に示すように、表示情報受付部１３ｂが計数情報または警告情報を受信すると（ステップＳ１０１）、受信した情報が計数情報であるか否かを判定する（ステップＳ１０２）。
【００９８】
そして、受信した情報が計数情報である場合には（ステップＳ１０２，Ｙｅｓ）、つづいて、受信した情報が遊技終了通知であるか否かを判定する（ステップＳ１０３）。そして、受信した情報が遊技終了通知である場合には（ステップＳ１０３，Ｙｅｓ）、設定情報１４ａに累積表示設定がなされているか否かを判定する（ステップＳ１０４）。
【００９９】
そして、累積表示設定がなされている場合には（ステップＳ１０４，Ｙｅｓ）、ステップＳ１０６へ進むことになる。一方、ステップＳ１０４の判定条件を満たさない場合、すなわち、累積表示設定がなされていない場合には(ステップＳ１０４，Ｎｏ)、表示値を０とする（ステップＳ１０５）。なお、ステップＳ１０３の判定条件を満たさない場合には（ステップＳ１０３，Ｎｏ）、ステップＳ１０４の処理を行うことなくステップＳ１０６へ進むことになる。
【０１００】
つづいて、設定情報１４ａに玉数表示設定がなされているか否かを判定し（ステップＳ１０６）、玉数表示設定がなされている場合には（ステップＳ１０６，Ｙｅｓ）、計数表示エリア（計数値表示エリア１０ａ）へ玉数で表示し（ステップＳ１０７）、処理を終了する。
【０１０１】
一方、ステップＳ１０６の判定条件を満たさない場合、すなわち、箱数表示設定がなされている場合には（ステップＳ１０６，Ｎｏ）、計数表示エリア（計数値表示エリア１０ａ）へ箱数で表示し（ステップＳ１０８）、処理を終了する。
【０１０２】
ところで、ステップＳ１０２の判定条件を満たさなかった場合、すなわち、ステップＳ１０１で受信した情報が警告情報である場合には（ステップＳ１０２，Ｎｏ）、記憶部１４の設定情報１４ａにおける表示条件に基づいて警告表示エリア（警告表示エリア１０ｂ）を点灯制御し（ステップＳ１０９）、処理を終了する。
【０１０３】
上述してきたように、本実施例では、基板に配列された発光素子を含んでおり、発光素子からの光を透過および／または反射させることで文字または記号を表示する表示部と、表示部に表示させる表示情報を各台計数装置から受け付ける表示情報受付部と、表示情報受付部が受け付けた表示情報に対して所定の加工を行ったうえで表示部へ表示指示する計数情報表示指示部および警告情報表示指示部と、遊技台が配列された遊技島の島端から視認可能な向きに表示部の取り付け向きを調整するための可動部を有する取付部とを備えるように表示装置を構成した。
【０１０４】
また、表示装置が接続される各台計数装置では、遊技台信号受信部が、遊技台からの特賞信号およびセーフ信号を受信し、警告判定部が計数部の計数値に基づいて警告の必要性および警告種別を判定し、警告情報部が、表示装置へ警告情報を送信するとともに、計数情報送信部が、計数部による計数値を表示装置へ計数情報として送信するように各台計数装置を構成した。
【０１０５】
したがって、本実施例に係る表示システムおよび表示装置によれば、各台計数方式を採用した場合に、各遊技台の出玉状況を他の遊技客に対してアピールすることができる。また、各台計数に係る警告情報を遊技点の従業員へ視認しやすい形で報知することができる。
【０１０６】
なお、上述した実施例では、表示装置が各台計数装置経由で受信した情報を表示する場合について示したが、各台計数装置の上位装置が収集した持ち玉情報を、上位装置が表示装置へ直接送信するように表示システムを構成することとしてもよい。なお、上位装置としては、台間装置、島コントローラ、管理装置、ホールコンピュータなどがある。
【産業上の利用可能性】
【０１０７】
以上のように、本発明に係る表示システムおよび表示装置は、各台計数方式を採用した場合に、各遊技台の出玉状況を他の遊技客に対してアピールしたい場合に有用であり、特に、各台計数に係る計数値と併せて各台計数に係る警告を報知したい場合に適している。
【図面の簡単な説明】
【０１０８】
【図１】本発明に係る表示手法の概要を示す図である。
【図２】本実施例に係る表示システムのシステム構成図である。
【図３】表示システムに含まれる表示装置および各台計数装置の構成を示すブロック図である。
【図４】表示装置を構成する各部品を示す図である。
【図５】表示装置の完成図である。
【図６】表示装置の取付例を示す図である。
【図７】警告処理の手順を示す図である。
【図８】表示装置が実行する処理手順を示すフローチャートである。
【符号の説明】
【０１０９】
１    表示システム
１０    表示装置
１０ａ  計数値表示エリア
１０ｂ  警告表示エリア
１０ｃ  可動部
１１    通信Ｉ／Ｆ（インターフェース）
１２    表示部
１３    制御部
１３ａ  設定部
１３ｂ  表示情報受付部
１３ｃ  計数情報表示指示部
１３ｄ  警告情報表示指示部
１４    記憶部
１４ａ  設定情報
２０    各台計数装置
２１    通信Ｉ／Ｆ（インターフェース）
２２    制御部
２２ａ  計数情報送信部
２２ｂ  遊技台信号受信部
２２ｃ  警告判定部
２２ｄ  警告情報送信部
２３    計数部
４１    基板
４１ａ  ＬＥＤ
４１ｂ  コネクタ
４２    リフレクトケース（表）
４３    パネル（表）
４４    本体ケース（表）
４５    リフレクトケース（裏）
４６    パネル（裏）
４７    本体ケース（裏）
２００    遊技台
３００    台間装置
４００    島コントローラ
５００    管理装置
６００    ホールコンピュータ
【図１】
2010063786.tif 000003
【図２】
2010063786.tif 000004
【図３】
2010063786.tif 000005
【図４】
2010063786.tif 000006
【図５】
2010063786.tif 000007
【図６】
2010063786.tif 000008
【図７】
2010063786.tif 000009
【図８】
2010063786.tif 000010